(57)【要約】【課題】  ガラス容器のパリソン成形課程において、バッフルと粗型の間に生じるガラスの噛み出しを防止し、噛み出しによる不良品の発生をなくす。【解決手段】  バッフルの下面に、下方に向かって垂直に突出した柱状の突出部を設け、該突出部にパリソンの底部を成形する成形面を形成する。粗型には、パリソンの外周部を成形する成形面の上部に、前記突出部が挿入嵌合する筒状部を形成する。粗型に筒状部を設けたので粗型内のゴブが収容されるスペースを大きくでき、突出部及び筒状部が垂直な面となっているので、バッフルが下降したときにガラスがバッフルと粗型の間に噛み出すことがなく、ガラスの噛み出しを完全に防止できる。【選択図】      図１
2005179074.tif 000002
【特許請求の範囲】
【請求項１】
下面に下方に向かって垂直に突出した柱状の突出部を有し、該突出部にパリソンの底部を成形する成形面が形成されていることを特徴とするバッフル
【請求項２】
請求項１のバッフルと、パリソンの外周部を成形する成形面の上部に、前記突出部が挿入嵌合する筒状部を備えた粗型を有することを特徴とするパリソン成形装置
【発明の詳細な説明】
【技術分野】
【０００１】
本発明は、プレスアンドブロー方式によるガラス容器の成形課程におけるパリソンを成形するためのバッフル及びこのバッフルを有するパリソン成形装置に関する。
【背景技術】
【０００２】
図３はプレスアンドブロー方式によるガラス容器の成形課程における従来のバッフルと粗型の説明図である。粗型２と口型３の内側にはプランジャ４があり、粗型２の中にゴブＧが投入される（イ）。その後バッフル１が粗型２の上部を閉塞し（ロ）、プランジャ４がＬＯＷローディング位置からＨＩＧＨローディング位置に上昇してパリソンを成形する。バッフル１の下面の中央はパリソンの底面を成形する成形面１ａ、その周囲は水平面１ｂ、更にその周囲はテーパ面１ｃとなっている。粗型２の内周面はパリソンの外周面を成形する筒状の成形面２ａ、その上端外周部が前記水平面１ｂと接触する水平面２ｂ、その周囲が前記テーパ面１ｃに接触するテーパ面２ｃとなっている。
【０００３】
図４もプレスアンドブロー方式によるガラス容器の成形課程における従来のバッフルと粗型の説明図であるが、バッフル及び粗型の形状が上記のものとやや異なる例を示している。バッフル１の下面の中央はパリソンの底面を成形する成形面１ａ、その周囲はテーパ面１ｄ、更にその周囲は水平面１ｅとなっている。粗型２の内周面はパリソンの外周面を成形する筒状の成形面２ａ、その上端外周部が前記テーパ面１ｄと接触するテーパ面２ｄ、その周囲が前記水平面１ｅに接触する水平面２ｅとなっている。
【特許文献１】特開昭６２−１０８７３９
【発明の開示】
【発明が解決しようとする課題】
【０００４】
図３において、（イ）の状態からバッフルが下降して（ロ）の状態になったとき、バッフルの水平面１ｂと粗型の水平面２ｂとの間にガラスがはみ出していわゆる噛み出し５が生じ、パリソンが所定の形状に成形できないことがある。
【０００５】
図４においても、（イ）の状態からバッフルが下降して（ロ）の状態になったとき、バッフルのテーパ面１ｄと粗型の水平面２ｄとの間にいわゆる噛み出し５が生じ、パリソンが所定の形状に成形できないことがある。
【０００６】
図３、４で成形されたパリソンは、反転装置により仕上型に移す。この際、粗型１１を２つ割りの状態に開き、反転装置先端で口型を支持し、パリソンＰを仕上型１２の上に反転させ、口型を２つ割りの状態に開いてパリソンを仕上型１２内に落とし込み、仕上型内で吹製してガラス容器を成形する。前記の噛み出しによってパリソンが所定形状に成形されていないと、最終的に成形したガラス製品に種々の欠点が生じ、不良品となってしまう。
【０００７】
本発明は、ガラス容器のパリソン成形課程において、バッフルと粗型の間に生じるガラスの噛み出しを防止し、噛み出しによる不良品の発生をなくすことを課題としてなされたものである。
【課題を解決するための手段】
【０００８】
（構成１）本発明は、下面に下方に向かって垂直に突出した柱状の突出部を有し、該突出部にパリソンの底部を成形する成形面が形成されていることを特徴とするバッフルである。
【０００９】
（構成２）また本発明は、前記構成１のバッフルと、パリソンの外周部を成形する成形面の上部に、前記突出部が挿入嵌合する筒状部を備えた粗型を有することを特徴とするパリソン成形装置である。
【発明の効果】
【００１０】
本発明は、バッフルの下面に突出部を形成し、パリソンの底面を成形する成形面を突出部の下面に設けたので、粗型には必然的に該突出部が挿入嵌合する筒状部が必要となり、したがって、粗型内のゴブが収容されるスペースを大きくしてゴブが粗型からはみ出さないようにできる。また、突出部の周壁及び筒状部の内周壁は垂直な面となっているので、バッフルが下降したときにガラスがバッフルと粗型の間に噛み出すことがなく、ガラスの噛み出しを完全に防止することができる。
【発明を実施するための最良の形態】
【００１１】
突出部の好適な高さ（突出量）はパリソンの大きさ・形状やゴブの大きさ・形状によって異なるが、一般的には１ｍｍ〜５０ｍｍ程度とするのがよい。
【実施例１】
【００１２】
図１は、前記図３の従来のバッフル及び粗型を改良した実施例の断面説明図である。図１において、バッフル１はその下面から下方に向かって垂直に突出した柱状の突出部６を有し、突出部６の下面がパリソンの底面を成形する成形面１ａとなっている。突出部６の周壁６ａは垂直な面となっている。突出部６の上端外周部分は水平面７、その外周部分は垂直面８となっている。
【００１３】
図１において、粗型２の内周面にはパリソンの外周面を成形する筒状の成形面２ａを有し、その上部が前記突出部６が挿入嵌合する筒状部９となっている。筒状部９の上端は前記水平面７と接触する水平面１０、更にその外周部は前記垂直面８と嵌合する垂直面１１となっている。
【００１４】
図１（イ）は粗型２内にゴブが投入された状態で、ゴブは筒状部９からはみ出すことなく、粗型の中に収まっている。（ロ）はバッフルが下降し、突出部６が筒状部９に挿入嵌合した状態で、水平面７は水平面１０と接触し、垂直面８は垂直面１１に嵌合する。このとき、バッフル１と粗型２の間にガラスの噛み出しは生じない。（ハ）はプランジャ４が上昇してパリソンＰが成形された状態である。パリソンＰは、噛み出しがないために所定の形状に成形される。
【実施例２】
【００１５】
図２は、前記図４の従来のバッフル及び粗型を改良した実施例の断面説明図である。図２は図１と比較して、粗型の成形面２ａの形状が若干異なるのみで、その他の構成は図１と同じになる。図２において、バッフル１はその下面から下方に向かって垂直に突出した柱状の突出部６を有し、突出部６の下面がパリソンの底面を成形する成形面１ａとなっている。突出部６の周壁６ａは垂直な面となっている。突出部６の上端外周部分は水平面７、その外周は垂直面８となっている。
【００１６】
図２において、粗型２の内周面にはパリソンの外周面を成形する筒状の成形面２ａを有し、その上部が前記突出部６が挿入嵌合する筒状部９となっている。筒状部９の上端は前記水平面７と接触する水平面１０、更にその外周部は前記垂直面８と嵌合する垂直面１１となっている。
【００１７】
図２（イ）は粗型２内にゴブが投入された状態で、ゴブは筒状部９からはみ出すことなく、粗型の中に収まっている。（ロ）はバッフルが下降し、突出部６が筒状部９に挿入嵌合した状態で、水平面７は水平面１０と接触し、垂直面８は垂直面１１に嵌合する。このとき、バッフル１と粗型２の間にガラスの噛み出しは生じない。（ハ）はプランジャ４が上昇してパリソンＰが成形された状態である。パリソンＰは、噛み出しがないために所定の形状に成形される。
【００１８】
本発明は上記の実施例に限定されるものではなく、特許請求の範囲で規定しない部分については変更が可能である。例えば、水平面７、１０はテーパ面とすることも可能であり、垂直面８、１１を省略することも可能である。また、バッフルの上下動が所定の軌道で行われるようなガイドを設けることもでき、このガイド機構は種々の公知機構を採用できる。
【産業上の利用可能性】
【００１９】
本発明は、ガラスびん、ガラス食器など、プレスアンドブロー方式で成形される種々のガラス容器の成形に適用できる。
【図面の簡単な説明】
【００２０】
【図１】実施例１のパリソン成形装置の断面説明図である。
【図２】実施例２のパリソン成形装置の断面説明図である。
【図３】従来のパリソン成形装置の断面説明図である。
【図４】従来のパリソン成形装置の断面説明図である。
【符号の説明】
【００２１】
１  バッフル
２  粗型
３  口型
４  プランジャ
５  噛み出し
６  突出部
７  水平面
８  垂直面
９  筒状部
１０  水平面
１１  垂直面
Ｇ  ゴブ
Ｐ  パリソン
【図１】
2005179074.tif 000003
【図２】
2005179074.tif 000004
【図３】
2005179074.tif 000005
【図４】
2005179074.tif 000006